(57)【要約】      （修正有）【課題】ユーザにとって好適なスタンバイモードを実現する。【解決手段】撮像レンズと、前記撮像レンズを制御するレンズ制御部と、撮像レンズを通過した光束に基づく被写体像を撮像して画像のデータを生成する撮像部と、撮像部により生成した画像のデータに対して画像処理を施す画像処理部と、画像処理部により生成した画像を表示する表示部と、通常撮影モードと、レンズ制御部と前記撮像部と表示部との少なくとも一つの動作シーケンスが通常撮影モードとは異なるスタンバイモードとを切り替える切替部と、スタンバイモードに関する設定入力をユーザから受け付ける受付部と、レリーズ指示を含む操作入力をユーザから受け付ける操作部とを備え、切替部は、所定の時間以上、操作部により操作入力を受け付けない場合に、受付部により受け付けたスタンバイモードに関する設定入力に応じて、モードを切り替えることを特徴とする電子カメラ。【選択図】図１
2009147523.tif 000002
【特許請求の範囲】
【請求項１】
撮像レンズと、
前記撮像レンズを制御するレンズ制御部と、
前記撮像レンズを通過した光束に基づく被写体像を撮像して画像のデータを生成する撮像部と、
前記撮像部により生成した画像のデータに対して画像処理を施す画像処理部と、
前記画像処理部により生成した画像を表示する表示部と、
通常撮影モードと、前記レンズ制御部と前記撮像部と前記表示部との少なくとも一つの動作シーケンスが前記通常撮影モードとは異なるスタンバイモードとを切り替える切替部と、
前記スタンバイモードに関する設定入力をユーザから受け付ける受付部と、
レリーズ指示を含む操作入力をユーザから受け付ける操作部とを備え、
前記切替部は、所定の時間以上、前記操作部により操作入力を受け付けない場合に、前記受付部により受け付けた前記スタンバイモードに関する設定入力に応じて、前記通常撮影モードから前記スタンバイモードに切り替える
ことを特徴とする電子カメラ。
【請求項２】
請求項１に記載の電子カメラにおいて、
前記撮像レンズは、前記撮像部の撮像面での結像位置を調整するフォーカスレンズと、焦点距離を調整するズームレンズと、像ブレを補正する防振レンズとを備え、
前記レンズ制御部は、前記フォーカスレンズの位置を調整するフォーカスレンズ駆動部と、前記ズームレンズの位置を調整するズームレンズ駆動部と、手ブレによるブレ量を検出するブレ検出部と、前記ブレ量に基づいて前記防振レンズを揺動する防振レンズ駆動部とを備える
ことを特徴とする電子カメラ。
【請求項３】
請求項１に記載の電子カメラにおいて、
各部を制御する制御部をさらに備え、
前記制御部は、前記スタンバイモードに移行した後、さらに所定の時間以上、前記操作部により操作入力を受け付けない場合に、電子カメラの電源をオフにする
ことを特徴とする電子カメラ。
【請求項４】
請求項３に記載の電子カメラにおいて、
前記受付部は、前記スタンバイモードに移行した後、電子カメラの電源をオフにするまでの時間の指定をユーザから受け付ける
ことを特徴とする電子カメラ。
【請求項５】
請求項２に記載の電子カメラにおいて、
前記受付部は、前記スタンバイモードにおいて、前記撮像レンズの位置を初期化するか否かの設定入力を受け付け、
前記受付部により前記撮像レンズの位置を初期化しない設定入力を受け付けると、前記スタンバイモードにおいて、
前記フォーカスレンズ駆動部は、前記フォーカスレンズの位置を調整せず、
前記ズームレンズ駆動部は、前記ズームレンズの位置を調整しない
ことを特徴とする電子カメラ。
【請求項６】
請求項２に記載の電子カメラにおいて、
前記受付部は、前記スタンバイモードにおいて、前記像ブレを補正するか否かの設定入力を受け付け、
前記受付部により前記像ブレを補正する設定入力を受け付けると、前記スタンバイモードにおいて、
前記ブレ検出部は、前記ブレ量を検出する間隔を変えないか、または、前記ブレ量を検出する間隔を前記通常撮影モードより長くして、前記ブレ量を検出し、
前記防振レンズ駆動部は、前記ブレ検出部により検出した前記ブレ量に基づいて前記防振レンズを揺動しない
ことを特徴とする電子カメラ。
【請求項７】
請求項１に記載の電子カメラにおいて、
前記受付部は、前記スタンバイモードにおいて、前記撮像部を駆動するか否かの設定入力を受け付け、
前記受付部により前記撮像部を駆動する設定入力を受け付けると、前記スタンバイモードにおいて、
前記撮像部は、スルー画像を撮像する間隔を前記通常撮影モードより長くする
ことを特徴とする電子カメラ。
【請求項８】
請求項１に記載の電子カメラにおいて、
前記表示部は、前記表示部を照明するバックライトを備え、
前記受付部は、前記スタンバイモードにおいて、前記表示部を駆動するか否かの設定入力を受け付け、
前記受付部により前記表示部を駆動する設定入力を受け付けると、前記スタンバイモードにおいて、
前記表示部は、前記バックライトの輝度を前記通常撮影モードより低くして前記画像を表示するか、または、前記バックライトを点灯することなく前記画像を表示する
ことを特徴とする電子カメラ。
【発明の詳細な説明】
【技術分野】
【０００１】
本発明は、被写体を撮像して画像のデータを生成する電子カメラに関する。
【背景技術】
【０００２】
従来から、電子カメラにおいて、シャッターチャンスを逃すことなく、消費電力を抑えるスタンバイモードなどが知られている。
【０００３】
例えば、特許文献１の電子カメラは、記録モードから電源を切断するモード若しくは記録を一時停止するモードに移行したときには、記録終了直前のレンズ制御及びホワイトバランスを保持するスリープモードに入る。その後、スリープモードのまま、規定時間が過ぎれば、そのまま全ての電源がオフ状態になる。
【特許文献１】特開２００４−２２１８３５号公報
【発明の開示】
【発明が解決しようとする課題】
【０００４】
しかし、上述した電子カメラは、スリープモードに移行してから電源がオフ状態になるまでの時間と、スリープモードを解除してから撮影可能になるまでの起動時間と、レリーズ指示のタイミングとの兼ね合いを把握しないと、シャッターチャンスを逃してしまう場合がある。
【０００５】
そこで、本発明の電子カメラは、ユーザにとって好適なスタンバイモードを実現することを目的とする。
【課題を解決するための手段】
【０００６】
本発明の電子カメラは、撮像レンズと、前記撮像レンズを制御するレンズ制御部と、前記撮像レンズを通過した光束に基づく被写体像を撮像して画像のデータを生成する撮像部と、前記撮像部により生成した画像のデータに対して画像処理を施す画像処理部と、前記画像処理部により生成した画像を表示する表示部と、通常撮影モードと、前記レンズ制御部と前記撮像部と前記表示部との少なくとも一つの動作シーケンスが前記通常撮影モードとは異なるスタンバイモードとを切り替える切替部と、前記スタンバイモードに関する設定入力をユーザから受け付ける受付部と、レリーズ指示を含む操作入力をユーザから受け付ける操作部とを備え、前記切替部は、所定の時間以上、前記操作部により操作入力を受け付けない場合に、前記受付部により受け付けた前記スタンバイモードに関する設定入力に応じて、前記通常撮影モードから前記スタンバイモードに切り替える。
【０００７】
なお、好ましくは、前記撮像レンズは、前記撮像部の撮像面での結像位置を調整するフォーカスレンズと、焦点距離を調整するズームレンズと、像ブレを補正する防振レンズとを備え、前記レンズ制御部は、前記フォーカスレンズの位置を調整するフォーカスレンズ駆動部と、前記ズームレンズの位置を調整するズームレンズ駆動部と、手ブレによるブレ量を検出するブレ検出部と、前記ブレ量に基づいて前記防振レンズを揺動する防振レンズ駆動部とを備えても良い。
【０００８】
また、好ましくは、各部を制御する制御部をさらに備え、前記制御部は、前記スタンバイモードに移行した後、さらに所定の時間以上、前記操作部により操作入力を受け付けない場合に、電子カメラの電源をオフにしても良い。
【０００９】
なお、好ましくは、前記受付部は、前記スタンバイモードに移行した後、電子カメラの電源をオフにするまでの時間の指定をユーザから受け付けても良い。
【００１０】
また、好ましくは、前記受付部は、前記スタンバイモードにおいて、前記撮像レンズの位置を初期化するか否かの設定入力を受け付け、前記受付部により前記撮像レンズの位置を初期化しない設定入力を受け付けると、前記スタンバイモードにおいて、前記フォーカスレンズ駆動部は、前記フォーカスレンズの位置を調整せず、前記ズームレンズ駆動部は、前記ズームレンズの位置を調整しなくても良い。
【００１１】
また、好ましくは、前記受付部は、前記スタンバイモードにおいて、前記像ブレを補正するか否かの設定入力を受け付け、前記受付部により前記像ブレを補正する設定入力を受け付けると、前記スタンバイモードにおいて、前記ブレ検出部は、前記ブレ量を検出する間隔を変えないか、または、前記ブレ量を検出する間隔を前記通常撮影モードより長くして、前記ブレ量を検出し、前記防振レンズ駆動部は、前記ブレ検出部により検出した前記ブレ量に基づいて前記防振レンズを揺動しなくても良い。
【００１２】
また、好ましくは、前記受付部は、前記スタンバイモードにおいて、前記撮像部を駆動するか否かの設定入力を受け付け、前記受付部により前記撮像部を駆動する設定入力を受け付けると、前記スタンバイモードにおいて、前記撮像部は、スルー画像を撮像する間隔を前記通常撮影モードより長くしても良い。
【００１３】
また、好ましくは、前記表示部は、前記表示部を照明するバックライトを備え、前記受付部は、前記スタンバイモードにおいて、前記表示部を駆動するか否かの設定入力を受け付け、前記受付部により前記表示部を駆動する設定入力を受け付けると、前記スタンバイモードにおいて、前記表示部は、前記バックライトの輝度を前記通常撮影モードより低くして前記画像を表示するか、または、前記バックライトを点灯することなく前記画像を表示しても良い。
【発明の効果】
【００１４】
本発明の電子カメラによれば、ユーザにとって好適なスタンバイモードを実現することができる。
【発明を実施するための最良の形態】
【００１５】
以下、図面を用いて本発明の実施形態について説明する。図１は、本発明の本実施形態における電子カメラ１の構成を示すブロック図である。図１に示すように、電子カメラ１は、撮像レンズ２、第１レンズ駆動部３、防振レンズ４、レンズ位置検出部５、ブレ検出部６、第２レンズ駆動部７、撮像素子８、Ａ／Ｄ変換部９、制御部１０、画像処理部１１、バッファメモリ１２、表示部１３、記録Ｉ／Ｆ部１４、記録媒体１５、操作部１６、バス１７を備える。なお、制御部１０、画像処理部１１、バッファメモリ１２、記録Ｉ／Ｆ部１４はそれぞれバス１７を介して相互に接続される。Ａ／Ｄ変換部９の出力はバス１７を介して画像処理部１１に接続される。また、画像処理部１１、記録Ｉ／Ｆ部１４の出力はそれぞれバス１７を介して表示部１３に接続される。
【００１６】
撮像レンズ２は、撮像素子８の撮像面に被写体像を結像する。撮像レンズ２は、撮像素子８の撮像面での結像位置を調整するフォーカスレンズと、焦点距離を調整するズームレンズとを含む複数のレンズ群で構成される。第１レンズ駆動部３は、制御部１０の出力に基づいて、撮像レンズ２の光軸方向の位置を調整する。
【００１７】
防振レンズ４は、光軸に直角な平面内で揺動可能に構成され、電子カメラ１に生じる手ブレを補正する。レンズ位置検出部５は、防振レンズ４の縦位置および横位置を検出する。なお、レンズ位置検出部５の出力は制御部１０に接続される。ブレ検出部６は、電子カメラ１の縦揺れを検出する縦方向角速度センサと、電子カメラ１の横揺れを検出する横方向角速度センサとを備える。なお、ブレ検出部６の出力は制御部１０に接続される。第２レンズ駆動部７は、防振レンズ４を縦方向に揺動する縦揺動機構と、防振レンズ４を横方向に揺動する横揺動機構とで構成される。この第２レンズ駆動部７は、制御部１０の出力に基づいて、防振レンズ４を揺動する。これにより、被写体像の結像位置がシフトして、撮像素子８での被写体の像ブレが抑制されることとなる。
【００１８】
撮像素子８は、撮像レンズ２などを通過した光束による被写体像を光電変換し、アナログの画像信号を出力する。また、撮像素子８は、撮影待機時（非レリーズ時）にも所定間隔毎に間引き読み出しでスルー画像を撮像する。上記のスルー画像は、表示部１３に表示される。Ａ／Ｄ変換部９は、撮像素子８の出力信号のＡ／Ｄ変換を行う。画像処理部１１は、Ａ／Ｄ変換部９から出力されたデータに各種の画像処理（ホワイトバランス調整、色補間、階調変換処理、輪郭強調処理など）を施す。また、画像処理部１１は、記録媒体１５に画像のデータを記録する前にＪＰＥＧ形式などで圧縮する処理や、圧縮された上記のデータを伸長復元する処理をも実行する。バッファメモリ１２は、画像処理部１１による画像処理の前工程や後工程で画像のデータを一時的に記録する。
【００１９】
制御部１０は、所定のシーケンスプログラムにしたがって、電子カメラ１の統括的な制御を行うプロセッサである。また、制御部１０は、通常の撮影を行う通常撮影モードと消費電力を抑えるスタンバイモードとを切り替える。さらに、制御部１０は、通常撮影モードおよびスタンバイモードにおいて、後述する操作部１６を介してユーザから操作入力を受け付けていない時間を計測するタイマーを備える。なお、スタンバイモードの詳細については、後述する。
【００２０】
表示部１３は、ＬＣＤなどの画像表示素子と、画像表示素子を照明するバックライト１３ａとを備える。なお、ＬＣＤは透過型でも反射型でも良い。また、表示部１３は、バックライト１３ａを備えることなく、画像表示素子として、有機ＥＬディスプレイや自発光型の素子を２次的に配列したものなどを用いても良い。表示部１３は、制御部１０の制御により各種の画像を表示する。表示部１３に表示される各種の画像は、本画像、スルー画像、記録媒体１５に記録した画像、メニュー画面などを含む。
【００２１】
記録Ｉ／Ｆ部１４は、記録媒体１５を接続するためのコネクタが形成される。そして、記録Ｉ／Ｆ部１４は、コネクタに接続された記録媒体１５に対してデータの書き込み／読み出しを実行する。操作部１６は、レリーズ釦１６ａや操作釦１６ｂなどを有する。レリーズ釦１６ａは、レリーズ指示の入力をユーザから受け付ける。操作釦１６ｂは、表示部１３に表示されるメニュー画面等での操作入力をユーザから受け付ける。なお、操作部１６の状態は制御部１０により検知される。
【００２２】
ところで、通常撮影モードで所定の時間以上ユーザから入力を受け付けない場合に、スタンバイモードに移行し、スタンバイモードに移行した後、さらに所定の時間以上ユーザから入力を受け付けない場合に、電源をオフにする電子カメラが知られている。
【００２３】
しかし、ユーザは、スタンバイモードに移行してから電源がオフになるまでの時間と、スタンバイモードを解除してから撮影可能になるまでの起動時間と、レリーズ指示のタイミングとの兼ね合いを把握しないと、シャッターチャンスを逃してしまう場合がある。
【００２４】
そこで、本発明の電子カメラ１は、スタンバイモードに関する設定入力をユーザから受け付ける。これにより、ユーザは、撮影状況に適したスタンバイモードを設定することができる。
【００２５】
電子カメラ１は、ユーザが初めて電源を入れたときや所望するタイミングで、メニュー画面にスタンバイモードに関する設定項目を表示するとともに、操作釦１６ｂを介して、表示した設定項目に対する入力をユーザから受け付ける。図２（ａ）は、メニュー画面に表示されるスタンバイモードに関する設定項目を示す図である。例えば、電子カメラ１は、スタンバイモードにおいて、（１）撮像レンズ２の位置を初期化するか否か、（２）防振レンズ４による手ブレ補正を行うか否か、（３）撮像素子８を駆動するか否か、（４）表示部１３を駆動するか否か、の４つの入力指示を受け付ける。
【００２６】
また、電子カメラ１は、操作部１６を介してユーザから操作入力を受け付けない場合に、通常撮影モードを持続する時間（以下、第１の時間と称する）と、スタンバイモードを持続する時間（以下、第２の時間と称する）とを受け付ける。図２（ｂ）は、メニュー画面に表示される時間の設定を示す図である。
【００２７】
次に、電子カメラ１におけるスタンバイモード時の制御部１０の動作を説明する。制御部１０は、通常撮影モードにおいて操作部１６を介してユーザから操作入力を受け付けることなく第１の時間を経過すると、スタンバイモードに移行する。ユーザが撮影したいシーンは、通常、短時間で大きく変化せず、通常撮影モード時とスタンバイモード時とスタンバイモード解除時とで、ほぼ同じと考える。
【００２８】
上記の（１）で、撮像レンズ２の位置を初期化する指示を受け付けた場合には、制御部１０は、スタンバイモードにおいて、第１レンズ駆動部３を制御して、撮像レンズ２を初期設定の位置に戻す。その後、制御部１０は、第１レンズ駆動部３を停止する。これにより、撮像レンズ２は、第１レンズ駆動部３により位置を調整されないため、初期設定の位置で保持される。
【００２９】
一方、撮像レンズ２のレンズ位置を初期化しない指示を受け付けた場合には、制御部１０は、スタンバイモードにおいて、第１レンズ駆動部３を停止する。これにより、撮像レンズ２は、第１レンズ駆動部３により位置を調整されないため、スタンバイモードに移行する直前の位置で保持される。
【００３０】
したがって、撮像レンズ２の位置を初期化する場合と初期化しない場合とのいずれも、消費電力を抑えることができる。さらに、制御部１０は、レリーズ釦１６ａを介してユーザからレリーズ指示を受け付けた場合に、各部を制御して、レスポンスよく焦点調節を行うことができる。なお、省電力を優先する場合には、ユーザは、撮像レンズ２のレンズ位置を初期化しない指示を行うことが好ましい。
【００３１】
上記の（２）で、防振レンズ４による手ブレ補正を行う指示を受け付けた場合には、制御部１０は、スタンバイモードにおいて、ブレ検出部６を駆動するとともに、レンズ位置検出部５と第２レンズ駆動部７とを停止する。すなわち、制御部１０は、ブレ検出部６を制御して処理時間がかかるブレ量の検出を行い、レンズ位置検出部５による防振レンズ４の位置の検出と、第２レンズ駆動部７による防振レンズ４の揺動とを行わない。これにより、消費電力を抑えるとともに、制御部１０は、レリーズ釦１６ａを介してユーザからレリーズ指示を受け付けた場合に、各部を制御して、レスポンスよく手ブレ補正を行うことができる。なお、制御部１０は、ブレ検出部６を制御して、通常撮影モードよりブレ量を検出する間隔を長くしても良い。
【００３２】
一方、防振レンズ４による手ブレ補正を行わない指示を受け付けた場合には、制御部１０は、スタンバイモードにおいて、レンズ位置検出部５とブレ検出部６と第２レンズ駆動部７とを停止する。そのため、防振レンズ４による手ブレ補正を行う指示を受け付けた場合と比較して、より消費電力を抑えることができる。
【００３３】
したがって、レリーズタイムラグの短縮を優先する場合には、ユーザは、防振レンズ４による手ブレ補正を行う指示を行うことが好ましい。一方、省電力を優先する場合には、ユーザは、防振レンズ４による手ブレ補正を行わない指示を行うことが好ましい。
【００３４】
上記の（３）で、撮像素子８を駆動する指示を受け付けた場合には、制御部１０は、スタンバイモードにおいて、撮像素子８を制御して、感度を変更することなく、フレームレートを通常撮影モードより減らしてスルー画像を撮像する。これにより、消費電力を抑えるとともに、撮像素子８を停止する場合と比較して、撮像素子８を起動する時間を短縮することができる。
【００３５】
一方、撮像素子８を駆動しない指示を受け付けた場合には、制御部１０は、スタンバイモードにおいて、撮像素子８を停止する。これにより、撮像素子８を駆動する場合と比較して、より消費電力を抑えることができる。
【００３６】
したがって、レリーズタイムラグの短縮を優先する場合には、ユーザは、撮像素子８を駆動する指示を行うことが好ましい。一方、省電力を優先する場合には、ユーザは、撮像素子８を駆動しない指示を行うことが好ましい。
【００３７】
上記の（４）で、表示部１３を駆動する指示を受け付けた場合には、制御部１０は、スタンバイモードにおいて、表示部１３を制御して、バックライト１３ａの輝度を通常撮影モードより低くしてスルー画像を表示するか、または、前記バックライト１３ａを点灯することなくスルー画像を表示する。これにより、消費電力を抑えるとともに、表示部１３を停止する場合と比較して、表示部１３を起動する時間を短縮することができる。
【００３８】
一方、表示部１３を駆動しない指示を受け付けた場合には、制御部１０は、スタンバイモードにおいて、表示部１３を停止する。これにより、表示部１３を駆動する場合と比較して、より消費電力を抑えることができる。
【００３９】
したがって、レリーズタイムラグの短縮を優先する場合には、ユーザは、表示部１３を駆動する指示を行うことが好ましい。一方、省電力を優先する場合には、ユーザは、表示部１３を駆動しない指示を行うことが好ましい。
【００４０】
その後、さらにユーザから操作入力を受け付けることなく第２の時間が経過すると、制御部１０は、各部を制御して、電子カメラ１全体の電源をオフにする。
【００４１】
なお、制御部１０は、撮像素子８に入射する光の量を調整する絞り（不図示）を制御しなくても良い。これにより、絞りはスタンバイモードに移行する直前の状態で保持される。したがって、制御部１０は、レリーズ釦１６ａを介してユーザからレリーズ指示を受け付けた場合に、各部を制御して、レスポンスよく露出を制御することができる。
【００４２】
また、制御部１０は、上記の（３）で、撮像素子８を駆動する指示を受け付けた場合に、画像処理部１１を制御して、ホワイトバランス調整値を算出しなくても良い。例えば、制御部１０は、画像処理部１１を制御して、スタンバイモードに移行する直前のホワイトバランス調整値を用いて、撮像素子８により撮像したスルー画像のデータに対してホワイトバランス調整を行っても良い。
【００４３】
また、制御部１０のうち、スタンバイモードで停止する各部に関連する部分を停止しても良い。例えば、上記の（１）で、撮像レンズ２のレンズ位置を初期化しない指示を受け付けた場合には、制御部１０のうち、第１レンズ駆動部３に関連する部分を停止する。
【００４４】
図３は、電子カメラ１における撮像時の制御部１０の動作を示すフローチャートである。
【００４５】
ステップＳ１で、制御部１０は、通常撮影モードを開始する。例えば、制御部１０は、撮像素子８を制御して、スルー画像の撮像を開始するとともに、タイマーにより通常撮影モードにおいて操作入力を受け付けていない時間の計測を開始する。
【００４６】
ステップＳ２で、制御部１０は、操作部１６を介してユーザから操作入力を受け付けたか否かを判定する。操作入力を受け付けていない場合（ＮＯ）には、ステップＳ３に移行する。一方、操作入力を受け付けた場合（ＹＥＳ）には、ステップＳ５に移行する。
【００４７】
ステップＳ３で、制御部１０は、タイマーによりステップＳ１から計測した時間が上述した第１の時間を経過したか否かを判定する。第１の時間を経過した場合（ＹＥＳ）には、ステップＳ４に移行する。一方、第１の時間を経過していない場合（ＮＯ）には、ステップＳ２に戻る。
【００４８】
ステップＳ４で、制御部８は、各部を制御して、上述したスタンバイモードに移行するとともに、タイマーによりスタンバイモードにおいて操作入力を受け付けていない時間の計測を開始する。
【００４９】
ステップＳ２でユーザから操作入力を受け付けた場合（ＹＥＳ）には、ステップＳ５で、制御部１０は、ユーザの操作入力に応じて各部を制御する。
【００５０】
ステップＳ６で、制御部１０は、ステップＳ１で設定したタイマーをリセットするとともに、ステップＳ２に戻る。
【００５１】
ステップＳ７で、制御部１０は、操作部１６を介してユーザから操作入力を受け付けたか否かを判定する。操作入力を受け付けていない場合（ＮＯ）には、ステップＳ８に移行する。一方、操作入力を受け付けた場合（ＹＥＳ）には、ステップＳ１０に移行する。
【００５２】
ステップＳ８で、制御部１０は、タイマーによりステップＳ４から計測した時間が上述した第２の時間を経過したか否かを判定する。第２の時間を経過した場合（ＹＥＳ）には、ステップＳ９に移行する。一方、第２の時間を経過していない場合（ＮＯ）には、ステップＳ７に戻る。
【００５３】
ステップＳ９で、制御部１０は、各部を制御して、電子カメラ１全体の電源をオフにする。
【００５４】
ステップＳ７でユーザから操作入力を受け付けた場合（ＹＥＳ）には、ステップＳ１０で、制御部１０は、スタンバイモードを解除し、ユーザの操作入力に応じて各部を制御する。
【００５５】
ステップＳ１１で、制御部１０は、ステップＳ４で設定したタイマーをリセットするとともに、ステップＳ２に戻る。
【００５６】
以上説明した通り、本実施形態の電子カメラは、スタンバイモードに関する設定入力をユーザから受け付けることにより、ユーザにとって好適なスタンバイモードを実現する。そのため、ユーザはレリーズ指示のタイミングを把握しやすく、シャッターチャンスを逃すおそれを減らすことができる。
【００５７】
なお、図３のフローチャートの撮影モードは、静止画を撮像するモードでも良いし、動画を撮像するモードでも良い。また、図３では、撮影モードの例を示したが、再生モードでも同様の構成としても良い。例えば、制御部１０は、再生モードにおいて、操作部１６を介してユーザから操作入力を受け付けることなく第１の時間が経過すると、表示部１３のバックライト１３ａの輝度を再生モードより低くして画像を表示するか、または、前記バックライト１３ａを点灯することなく画像を表示する。その後、さらにユーザから操作入力を受け付けることなく第２の時間が経過すると、制御部１０は、各部を制御して、電子カメラ１全体の電源をオフにする。
【００５８】
また、上記の実施形態では、スタンバイモードにおいて、（１）撮像レンズ２の位置を初期化するか否か、（２）防振レンズ４による手ブレ補正を行うか否か、（３）撮像素子８を駆動するか否か、（４）表示部１３を駆動するか否か、の４つの入力指示を受け付ける例を示したが、これに限らない。例えば、上記の４つのうち、何れか任意の組み合わせを受け付けても良い。
【００５９】
また、上記の（３）で、撮像素子８を駆動しない指示を受け付けた場合には、制御部１０は、撮像素子８を停止して、スルー画像を撮像しない。そのため、制御部１０は、撮像素子８を駆動しない指示を受け付けた場合には、表示部１３を停止しても良いし、スタンバイモードに移行する直前のスルー画像を表示部１３に表示しても良い。
【００６０】
また、上記の実施形態では、撮像素子８により撮像したスルー画像のデータに基づいて、ホワイトバランス調整を行う例を示したが、これに限らない。例えば、電子カメラ１は、ホワイトバランス用のセンサをさらに備える。そして、制御部１２は、スタンバイモードにおいて、ホワイトバランス用のセンサを停止するとともに、画像処理部１１を制御して、スタンバイモードに移行する直前のホワイトバランス調整値を用いて、ホワイトバランス調整を行っても良い。
【図面の簡単な説明】
【００６１】
【図１】本発明の本実施形態における電子カメラ１の構成を示すブロック図である。
【図２】メニュー画面に表示されるスタンバイモードに関する設定項目を示す図である。
【図３】電子カメラ１における撮像時の制御部１０の動作を示すフローチャートである。
【符号の説明】
【００６２】
１…電子カメラ、２…撮像レンズ、３…第１レンズ駆動部、４…防振レンズ、５…レンズ位置検出部、６…ブレ検出部、７…第２レンズ駆動部、８…撮像素子、１０…制御部、１１…画像処理部、１３…表示部、１３ａ…バックライト、１６…操作部
【図１】
2009147523.tif 000003
【図２】
2009147523.tif 000004
【図３】
2009147523.tif 000005